(57)【要約】      （修正有）【課題】腹部や骨盤の圧迫を一時的に解除しても肩部や腰椎部等の他部の締め付けは緩むことなく維持せしめることができる人体固定ベルト用背当てプレート及び人体用固定ベルト装具を提供する。【解決手段】人体の背面部に当接される支持板１１の上半分領域部１１ａと下半分領域部１１ｂのそれぞれに、ベルト挿通用縦長スリット１２ａ，１２ｂが適宜間隔を設けて略線対称に２本ずつ形設されていることを特徴とする人体固定ベルト用背当てプレート１０。【選択図】図１
2015112367.tif 000002
【特許請求の範囲】
【請求項１】
人体の背面部に当接される支持板の上半分領域部と下半分領域部のそれぞれに、ベルト挿通用縦長スリットが適宜間隔を設けて略線対称に２本ずつ形設されていることを特徴とする人体固定ベルト用背当てプレート。
【請求項２】
前記上半分領域部の２本のベルト挿通用縦長スリットが、略平行に形設されていることを特徴とする請求項１記載の人体固定ベルト用背当てプレート。
【請求項３】
前記下半分領域部の２本のベルト挿通用縦長スリットが、略ハの字状に形設されていることを特徴とする請求項１又は２記載の人体固定ベルト用背当てプレート。
【請求項４】
前記上半分領域部の２本のベルト挿通用縦長スリット間に、貫通穴が１個又は複数個形設されていることを特徴とする請求項１〜３の何れか１項記載の人体固定ベルト用背当てプレート。
【請求項５】
前記下半分領域部の２本のベルト挿通用縦長スリット間に、貫通穴が１個又は複数個形設されていることを特徴とする請求項１〜４の何れか１項記載の人体固定ベルト用背当てプレート。
【請求項６】
前記支持体が可撓性を有する硬質合成樹脂製であることを特徴とする請求項１〜５の何れか１項記載の人体固定ベルト用背当てプレート。
【請求項７】
請求項１〜６の何れか１項記載の人体固定ベルト用背当てプレートに、当該プレートのベルト挿通用縦長スリットを利用して、腰椎・骨盤ベルトを取り付けたことを特徴とする人体用固定ベルト装具。
【請求項８】
請求項１〜６の何れか１項記載の人体固定ベルト用背当てプレートに、当該プレートのベルト挿通用縦長スリットを利用して、姿勢矯正ベルトを取り付けたことを特徴とする人体用固定ベルト装具。
【発明の詳細な説明】
【技術分野】
【０００１】
本発明は、人体固定ベルト用背当てプレート、更に詳細には腰椎・骨盤ベルトや姿勢矯正ベルト等の上半身用固定ベルトを取り付けて人体に装着するために用いる背当てプレート及び当該背当てプレートを備えた人体用固定ベルト装具に関する。
【背景技術】
【０００２】
従来の人体固定ベルト、例えば姿勢矯正ベルトは、一般に肩ベルト部と腹ベルト部が連続する１本のベルトで構成されたものを、背中に当接される背当て部において交差せしめながら、その両自由端部を前腹部で連結固定して装着するものであった。
しかしながら、斯かる装着状態を長時間継続すると、腹ベルト部による腹部の圧迫状態も長時間持続することになるため、装着者にかなりのストレスを与えることが避けられず、往々にして苦痛すら感じるものであった。
そこで、腹部の圧迫を一時的に解除することになるが、従来の背当て部は、特許文献１にも示されている如く、背当て部本体とその外表面に左右端を解放せしめて縫着された布片部とから成り、ベルトは単に当該背当て部本体と布片部の間を交差しつつ挿通するに過ぎなかったため、腹ベルト部の前腹部における連結を解除すると、腹ベルト部が当該背当て部本体と布片部の間を肩方向にスライド動する結果、肩ベルト部による肩周りの締め付けも自然に緩み、姿勢矯正の作用も当然に中断してしまうと云う問題があった。
そのため、従来の姿勢矯正ベルトでは、姿勢矯正作用を持続せしめつつ、腹部の圧迫のみを一時的に解除することは不可能なのが実状であった。
【０００３】
同様に、腰椎・骨盤ベルトの場合も、腰椎ベルト部の腰椎サポート作用を持続せしめつつ、骨盤部の圧迫のみを一時的に解除することは不可能なのが実状であった。
【先行技術文献】
【特許文献】
【０００４】
【特許文献１】実用新案登録第３１１０６５３号公報
【発明の概要】
【発明が解決しようとする課題】
【０００５】
本発明は上記の如き従来の問題と実状に鑑みてなされたものであり、腹部や骨盤部の圧迫を一時的に解除しても肩部や腰椎部等の他部の締め付けは緩むことなく維持せしめることができる人体固定ベルト用背当てプレート及び人体用固定ベルト装具を提供することを課題としている。
【課題を解決するための手段】
【０００６】
本発明者は、上記の課題を解決すべく、種々検討を重ねた結果、背当てプレートに縦長スリットを設けてベルトを折り返し挿通せしめれば、ラダーロック作用によりベルトが背当てプレートでスライド動せずに係止するので、他部の締め付けの緩みを効率良く阻止し得ることを見い出し、本発明を完成した。
【０００７】
すなわち、本発明は、人体の背面部に当接される支持板の上半分領域部と下半分領域部のそれぞれに、ベルト挿通用縦長スリットが適宜間隔を設けて略線対称に２本ずつ形設されていることを特徴とする人体固定ベルト用背当てプレートにより、上記課題を解決したものである。
【０００８】
また、本発明は、請求項１〜６の何れか１項記載の人体固定ベルト用背当てプレートに、当該プレートのベルト挿通用縦長スリットを利用して、腰椎・骨盤ベルトを取り付けたことを特徴とする人体用固定ベルト装具により、上記課題を解決したものである。
【０００９】
また、本発明は、請求項１〜６の何れか１項記載の人体固定ベルト用背当てプレートに、当該プレートのベルト挿通用縦長スリットを利用して、姿勢矯正ベルトを取り付けたことを特徴とする人体用固定ベルト装具により、上記課題を解決したものである。
【発明の効果】
【００１０】
本発明の背当てプレートを用いれば、そのベルト挿通用縦長スリットに人体固定ベルトを、図９に示すように折り返し挿通せしめて取り付けることにより、例えば下部の腹ベルト部や骨盤ベルト部を解除しても、ラダーロック作用により上部の肩ベルト部や腰椎ベルト部の締め付けが緩むことはない。
従って、本発明によれば、腹部や骨盤部の圧迫を断続的に解除することにより、ストレスの発生を回避し得る一方、姿勢の矯正や腰椎のサポートそのものは解除されることがなく、長時間持続されるので、人体固定ベルトを効率的に装着使用することができる。
【図面の簡単な説明】
【００１１】
【図１】本発明の人体固定ベルト用背当てプレートの正面説明図。
【図２】Ａ−Ａ線端面説明図。
【図３】Ｂ−Ｂ線拡大断面説明図。
【図４】Ｃ−Ｃ線断面説明図。
【図５】本発明の第１の人体用固定ベルト装具の装着例を示す背中側説明図。
【図６】本発明の第１の人体用固定ベルト装具の装着例を示す腹部側説明図。
【図７】本発明の第２の人体用固定ベルト装具の装着例を示す背中側説明図。
【図８】本発明の第２の人体用固定ベルト装具の装着例を示す腹部側説明図。
【図９】本発明の人体固定ベルト用背当てプレートのラダーロック作用を示す概略断面説明図。
【発明を実施するための形態】
【００１２】
以下本発明の実施の形態を図面と共に説明する。
【００１３】
図１〜図４は、本発明の人体固定ベルト用背当てプレートを示す説明図である。
当該図１〜図４において、１０は背当てプレートで、可撓性を有する硬質合成樹脂製の支持板１１によって構成されている。この支持板１１は人体の背面部に当接されるもので、上半分領域部１１ａとこの上半分領域部１１ａよりやや巾狭の下半分領域部１１ｂとの連成体から成る。
【００１４】
１２ａ及び１２ｂはベルト挿通用縦長スリットで、支持板１１の上半分領域部１１ａに、適宜間隔を設けて略線対称となるように、略平行に形設されている。
【００１５】
１３ａ及び１３ｂもベルト挿通用縦長スリットで、支持板１１の下半分領域部１１ｂに、適宜間隔を設けて略線対称となるように、略ハの字状に形設されている。因みに、当該ベルト挿通用縦長スリット１３ａ，１３ｂは平行であっても良いが、下半分領域部１１ｂにおいてベルトを挿通しつつ上方向に案内するので、末広がりの略ハの字状の方が、効果的なラダーロック作用を得る上でより望ましい。
【００１６】
１４は貫通穴で、支持板１１の上半分領域部１１ａの２本のベルト挿通用縦長スリット１２ａ，１２ｂ間に、少なくとも当該上半分領域部１１ａの面積の３０％を占めるように形設されている。
また、１５も貫通穴で、支持体１１の下半分領域部１１ｂの２本のベルト挿通用縦長スリット１３ａ，１３ｂ間に、少なくとも当該下半分領域部１１ｂの面積の３０％を占めるように形設されている。
これらの貫通穴１４及び１５により支持体１１の軽量化と通気性が確保されるので、長時間であっても快適な装着が可能となる。
尚、貫通穴１４及び１５の具体的な形状や個数は、支持体１１の強度に影響がない限り特に制限されない。
【００１７】
図５及び図６は、本発明の第１の人体用固定ベルト装具の装着例を示す説明図である。
当該図５において、１０は前述した本発明の背当てプレートである。また、２０は腰椎・骨盤ベルトで、図５及び図６に示すように、腰椎ベルト部２１と、当該腰椎ベルト部の両自由端部に略Ｖ字状をなすようにそれぞれ連成された２本の骨盤ベルト部２２とによって構成されている。
【００１８】
腰椎ベルト部２１は、支持板１１の上半分領域部１１ａのベルト挿通用縦長スリット１２ａ，１２ｂに挿通して取り付けられ（図５参照）、装着時背中から腹側に巻回しつつ、その両自由端部が前腹部で連結固定されるものである（図６参照）。尚、当該腰椎ベルト部２１の両自由端部は、図６に示す例においては面ファスナー２１ａで連結されているが、止脱自在のものであれば、バックル方式等具体的な連結手段の如何を問わない。
【００１９】
当該腰椎ベルト部２１の両自由端部に略Ｖ字状に連結された骨盤ベルト部２２は、装着時前腹部から背中側に巻回しつつ、支持板１１の下半分領域部１１ｂの貫通穴１５を経てベルト挿通用縦長スリット１３ａ，１３ｂの内側（人体側）から外側に挿通折り返されて（図５及び図９参照）再び腹側に戻り、その両自由端部が、腰椎ベルト部２１の連結固定部より下方の前腹部で連結固定されるものである（図６参照）。尚、当該骨盤ベルト部２２の両自由端部は、図６に示す例においてはバックル２２ａで連結されているが、止脱自在のものであれば、面ファスナー等具体的な連結手段の如何を問わない。
【００２０】
図７及び図８は、本発明の第２の人体用固定ベルト装具の装着例を示す説明図である。
当該図７において、１０は前述した本発明の背当てプレートで、図５に示した背当てプレート（支持板１１）が上下反転した状態で使用されている。また、３０は姿勢矯正ベルトで、略Ｖ字状の肩ベルト部３１と、その両自由端部に連成された２本の腰ベルト部３２とによって構成されている。
【００２１】
肩ベルト３１部は、適宜手段、例えばその略Ｖ字状の端部に連結用ポケット部（図示省略）を形成し、当該ポケット部に支持板１１の端部を挿入して取り付けられ（図７参照）、その両自由端部が、装着時背中から肩、次いで両脇下を経て（図８参照）再び背中側に巻回した後、腰ベルト部３２として支持板１１の上半分領域部１１ａ（図７においては上下反転しているので位置が下部となっている）の貫通穴１４を経てベルト挿通用縦長スリット１２ａ，１２ｂの内側（人体側）から外側に挿通折り返されて（図７及び図９参照）再び腹側に戻り、その両自由端部が前腹部で連結固定されるものである（図８参照）。尚、当該腰ベルト部３２の両自由端部は、図８に示す例においてはバックル３２ａで連結されているが、止脱自在のものであれば、両面ファスナー等具体的な連結手段の如何を問わない。
【符号の説明】
【００２２】
１０：背当てプレート
１１：支持板
１１ａ：上半分領域部
１１ｂ：下半分領域部
１２ａ，１２ｂ：ベルト挿通用縦長スリット
１３ａ，１３ｂ：ベルト挿通用縦長スリット
１４：貫通穴
１５：貫通穴
２０：腰椎・骨盤ベルト
２１：腰椎ベルト部
２１ａ：面ファスナー
２２：骨盤ベルト部
２２ａ：バックル
３０：姿勢矯正ベルト
３１：肩ベルト部
３２：腰ベルト部
３２ａ：バックル
【図１】
2015112367.tif 000003
【図２】
2015112367.tif 000004
【図３】
2015112367.tif 000005
【図４】
2015112367.tif 000006
【図５】
2015112367.tif 000007
【図６】
2015112367.tif 000008
【図７】
2015112367.tif 000009
【図８】
2015112367.tif 000010
【図９】
2015112367.tif 000011